(57)【要約】      （修正有）【課題】切り花８を恰も花畑に植栽された花でも見るような感覚で鑑賞することを可能とする植栽可能花器を提供する。【解決手段】鉢１と、これの内方に起立状に配置される土除け案内筒２と、該土除け案内筒２の長さよりも短い被挿入部３ａを有し該被挿入部３ａを土除け案内筒２の内方に上端側から抜き出し可能な密状に挿入され上側となる面を開口され内方を水密空間とされた花生け用有底筒体３とを備え、該有底筒体３の上端部には土除け案内筒２の上端縁で支持される横張出部３ｃが形成されている構成とする。【選択図】図３
0003150440.tif 000002
【実用新案登録請求の範囲】
【請求項１】
鉢と、これの内方に起立状に配置される土除け案内筒と、該土除け案内筒の長さよりも短い筒部からなる被挿入部を有し該被挿入部を前記土除け案内筒の内方に上端側から抜き出し可能な密状に挿入され上側となる端面を開口され内方を水密空間とされた花生け用有底筒体とを備え、該有底筒体の上端部には前記土除け案内筒の上端縁で支持される横張出部が形成されていることを特徴とする植栽可能花器。
【請求項２】
前記横張出部が前記土除け案内筒の外径よりも大きい径の鍔部であることを特徴とする請求項１記載の植栽可能花器。
【請求項３】
前記鉢が、色粉で土色に着色された真砂土の固結された成形品であることを特徴とする請求項１又は２記載の植栽可能花器。
【請求項４】
請求項１又は２記載の植栽可能花器が使用されたものであって、前記鉢内に土壌が供給され、該土壌中に前記土除け案内筒が起立状に埋設され、該土除け案内筒内に前記花生け用有底筒体が挿入されており、このさい前記花生け用有底筒体は前記横張出部を前記土除け案内筒の上端縁で略水平状に支持されると共に最下端が空中に浮いた状態とされ上端縁が前記土壌の表面から２０ｍｍ以内の範囲内で上方へ突出した状態とされており、また前記土壌の表面にはコケや草花などの比較的低い植物が植えられていることを特徴とする植栽付花器。
【請求項５】
請求項４記載の植栽植物付花器が使用されたものであって、前記有底筒体には水が供給されると共に切り花が挿入され、該切り花の上部が前記植物よりも高く位置され、前記土除け案内筒及び前記有底筒体が前記土壌、前記植物及び前記切り花で覆われた状態となっていることを特徴とする植栽付切り花鑑賞品。
【考案の詳細な説明】
【技術分野】
【０００１】  本考案は、切り花を恰も花畑を見るような雰囲気で鑑賞することを可能とした植栽可能花器、植栽付花器及び、植栽付切り花鑑賞品に関する。
【背景技術】
【０００２】  従来より、栽培容器の内方に小花瓶収容筒を起立状に配置されると共に、栽培容器と小花瓶収容筒との間に土壌を供給し、該土壌の表面に植物を植え、一方では小花瓶収容筒内に小花瓶を収容させ、該小花瓶に切り花を挿入しておき、切り花と、土壌に植えられた植物との双方を同時に鑑賞できるようにした植栽付切り花鑑賞品は特許文献１に開示されている。【０００３】  しかし、上記植栽付切り花鑑賞品においては、小花瓶を小花瓶収容筒内に安定的に収容させることや、小花瓶が外観部に現れないようにすることは考慮されていない。したがって切り花と、土壌に植えられた植物との双方を同時に鑑賞することはできるものの、これらを恰も花畑でも見るような感覚で鑑賞することはできないのである。
【先行技術文献】
【特許文献】
【０００４】
【特許文献１】特開２００８−５４５２６号公報
【考案の概要】
【考案が解決しようとする課題】
【０００５】  本考案は、切り花を恰も花畑に植栽された花でも見るような感覚で鑑賞することを可能とした使い勝手のよい植栽可能花器、植栽付花器及び植栽付切り花鑑賞品を提供することを目的とするものである。
【課題を解決するための手段】
【０００６】  上記目的を達成するための第１の考案に係る植栽可能花器は、鉢と、これの内方に起立状に配置される土除け案内筒と、該土除け案内筒の長さよりも短い筒部からなる被挿入部を有し該被挿入部を前記土除け案内筒の内方に上端側から抜き出し可能な密状に挿入され上側となる端面を開口され内方を水密空間とされた花生け用有底筒体とを備え、該有底筒体の上端部には前記土除け案内筒の上端縁で支持される横張出部が形成されていることを特徴とするものである。【０００７】  第２の考案に係る植栽付花器は、上記第１の考案に係る植栽可能花器が使用されたものであって、前記鉢内に土壌が供給され、該土壌中に前記土除け案内筒が起立状に埋設され、該土除け案内筒内に前記花生け用有底筒体が挿入されており、このさい前記花生け用有底筒体は前記横張出部を前記土除け案内筒の上端縁で略水平状に支持されると共に最下端が空中に浮いた状態とされ上端縁が前記土壌の表面から２０ｍｍ以内の範囲内で上方へ突出した状態とされており、また前記土壌の表面にはコケや草花などの比較的低い植物が植えられていることを特徴とするものである。【０００８】  第３の考案に係る植栽付切り花鑑賞品は、上記第３の考案に係る植栽付花器が使用されたものであって、前記有底筒体には水が供給されると共に切り花が挿入され、該切り花の上部が前記植物よりも高く位置され、前記土除け案内筒及び前記有底筒体が前記土壌、前記植物及び前記切り花で覆われた状態となっていることを特徴とするものである。
【考案の効果】
【０００９】  本考案によれば、次のような効果が得られる。
即ち、花生け用有底筒体が横張出部を土除け案内筒の上端縁で略水平状且つ安定的に支持されて、これに生けられた切り花がその姿勢を安定的に保持されるようになり、また花生け用有底筒体及び土除け案内筒が、鉢内に供給された土壌、該土壌に植えられた比較的低い植物、及び切り花により覆われて外観部に現れないようになり、また花生け用有底筒体に生けられた切り花の下部が鉢内の土壌に植えられた比較的低い植物で取り巻かれた状態となるのであり、その結果、鑑賞者は切り花を恰も花畑に植えられた花でも見るような感覚で鑑賞できるようになるのである。【００１０】  また花生け用有底筒体は土除け案内筒内に挿入された状態の下で横張出部の外周面を把持されることにより土除け案内筒内から簡易迅速に抜き出されると共に、抜き出された状態から簡易迅速に土除け案内筒内に戻されるものとなるのであり、したがって花生け用有底筒体への切り花の挿入や水の供給が簡便に行えるものとなる。【００１１】  さらには花生け用有底筒体が土除け案内筒内に挿入された状態の下で最下部が空中に浮いた状態となるため、花生け用有底筒体の内方に挿入された切り花や供給された水などの重量が横張出部を土除け案内筒の上端縁に圧接させるように作用して、花生け用有底筒体の姿勢保持能能力を増大させるものとなり、また花生け用有底筒体の外表面が泥水などに接触せず清浄な状態に保持されることから、花生け用有底筒体がこれの外表面に触れるものを汚すことのないものとなる。
【図面の簡単な説明】
【００１２】
【図１】本考案に係る植栽可能花器を構成する各部を示す斜視図である。
【図２】本考案に係る植栽付花器の中央縦断面図である。
【図３】本考案に係る植栽付切り花鑑賞品を示す断面視説明図である。
【図４】上記植栽付切り花鑑賞品の変形例を示す斜視図である。
【考案を実施するための形態】
【００１３】  以下、本考案の実施の形態を図面に基づいて詳細に説明する。
図１は本考案に係る植栽可能花器を構成する各部を示す斜視図である。図１に示すように、植栽可能花器は鉢１、土除け案内筒２及び花生け用有底筒体３からなっている。
【００１４】  各部について説明すると、鉢１は市販の任意材料のもので差し支えないが、好ましくは、土に似た外観を備えたものとするのである。本例においては、土塊が寄り集まったような形態で土色を有した外表面を備えると共に全体が多孔質で適度な透水性及び保水性を有するものとしてあり、例えば、次のようにして製造される。
【００１５】  即ち、真砂土、結合材、硬化剤、色粉及び水を混合攪拌した半流動性の混練物を作成する。真砂土は花崗岩の風化した土である。真砂土として、７５μｍふるい通過率が１０〜１３％程度の土粒が多く含まれているものを使用したときは、結合材により結合され固結された状態での強度が強くなる。５３μｍふるいを通過することのできる限界大きさの土粒が含まれていても差し支えないが、これの数倍以上の大きさの土粒が含まれることは、鉢１の強度を確保する上で好ましくない。結合材はセメント系結合材を使用する。硬化剤は無機系のものがよいのであり、例えば、株式会社ＳＬ化学研究所の提供する商品である「Ｓｕｐｅｒ  Ｌｉｑｕｉｄ  ＳＬ−１９００」を使用する。色粉は茶褐色、黒色、緑色、青色など種々のものが市販されている。
【００１６】  真砂土、結合材、硬化剤及び色粉の混合割合は、自然界から採取された乾燥状態の真砂土が１０リットル用意された場合に、結合材としてセメントを２．２５ｋｇ、硬化剤としての商品「Ｓｕｐｅｒ  Ｌｉｑｕｉｄ  ＳＬ−１９００」を２００ｃｃ、色粉を２５ｇとする。この割合とされた混合材料に水を加えてミキサーで練ることにより、モルタル状の混練物とする。この混練物は適宜な色の色粉を使用することにより希望する土色にする。
【００１７】  一方では、鉢１の内面形状と同一の外形を有する雄型を用意する。この雄型の成形表面に上記した混練物を一様に塗りつけて混練物層を形成する。この後、混練物の少量を塊にして手に持ち混練物層の外表面に投げ付けるように接着させることを繰り返すことにより、鉢１の底面を除く外表面の全体が、投げ付けられた混練物で覆われた状態とする。これにより雄型の成形表面を覆った混練物成形品が形成される。
【００１８】  この状態で大気中に放置し、適当に固まった後に混練物成形品から雄型を抜き取り、１週間内外の日数が経過するのを待つ。これにより、混練物成形品は十分に乾燥し、真砂土の土粒群はセメント及び「Ｓｕｐｅｒ  Ｌｉｑｕｉｄ  ＳＬ−１９００」の結合作用により結合されて煉瓦状に固化した状態となり、必要な強度の鉢１が得られる。なお、このように形成された鉢１は透水性を有するため底面に排水孔を設ける必要はない。
【００１９】  また土除け案内筒２は合成樹脂材などで形成され断面が円形とされた直状の筒体からなっている。該筒体２の長さＬ１は鉢１に対応して決定されるのであり、例えば鉢１の深さの０．７倍〜１．０倍の範囲内とされる。筒体２の肉厚は例えば数ｍｍ程度とされる。また筒体２の色は限定しないが、土色若しくは緑色とするのが好ましい。
【００２０】  また花生け用有底筒体３は、断面を円形とされ下端である一端を底面部３ｂで閉鎖され内方を水密空間とされた筒部３ａを備え、該筒部３ａの上端部の外面側に横張出部３ｃを形成された構成である。
【００２１】  花生け用有底筒体３の全体は合成樹脂材などで一体成形するのがコストを低減する上で好ましい。筒部３ａの外径は土除け案内筒２の内径よりも少し小さくされ、横張出部３ｃよりも下側の筒部３ａが土除け案内筒２内に密状に挿入される被挿入部ａ１とされている。筒部３ａの外径と土除け案内筒２の内径との差は具体的には数ｍｍ（好ましくは２〜３ｍｍ）以下とされる。被挿入部ａ１の長さＬ２は土除け案内筒２の長さＬ１よりも短くされている。横張出部３ｃは図１中に示すような環状の鍔部とするのがよいが、これに限定するものではなく、例えば適宜な切欠箇所を形成するなどして任意形状に変形してもよいものである。横張出部３ｃの外径は土除け案内筒２の上端部の外径と同等以上とされている。横張出部３ｃの外周面ａ２には上下方向ｂ１へ滑り難くする多数の凹凸部を形成するのがよい。
【００２２】  次に上記植栽可能花器を使用して植栽を施した状態の植栽付花器について説明する。
図２は該植栽付花器の中央縦断面図である。図２に示すように、鉢１の中央に土除け案内筒２が起立状に位置されている。また鉢１の内方で土除け案内筒２の外側領域にはその深さの７割〜９割の高さまで土壌４が満たされている。
【００２３】  図２中では土除け案内筒２の下端は鉢１の内底面に当接されているが、必ずしもこのようにする必要はないのであり、例えば鉢１の内底面と土除け案内筒２の下端との間に数ｃｍ厚の土壌層が存在していても差し支えない。また土除け案内筒２の下端部が支障のない範囲内で土壌中に埋もれていても差し支えない。
【００２４】  土除け案内筒２の上端縁は土壌４の表面よりも少し高く位置されるのであり、具体的には例えば土壌４の表面４ａから土除け案内筒２の上端縁までの距離Ｌ３は例えば５ｍｍから２０ｍｍの範囲内とされる。土除け案内筒２の内方は空間とされている。該空間内に花生け用有底筒体３の被挿入部ａ１が挿入される。筒部３ａの自由状態では鍔部３ｃの下面が土除け案内筒２の上端縁に当接され重力に抗して受け止められた状態となる。このさい、鍔部３ｃの外周面ａ２の直径は土除け案内筒２の外周面のそれと同等以上であるため、図２中に示すように、花生け用有底筒体３が土除け案内筒２内に挿入された状態の下で、鍔部３ｃの外周面ａ２は手指で容易に把持され得る状態となる。
【００２５】  土壌の表面には比較的低い植物５が植栽されている。この植物５としては、例えばコケ、シダ、パンジー、レンゲ、タンポポ、シクラメンなどの草花とか、ミニ盆栽などの対象となる高さ数ｃｍ〜十数ｃｍの木などがある。図２中は植物５としてコケを植えた場合を示している。コケは常緑性を有しており、繁茂すると厚さ１０ｍｍ程度に達して土除け案内筒２の上端部外周面を覆った状態となる。
【００２６】  鉢１は受け台６に支持されると共に高さ数十ｃｍ程度のケース体７で覆われている。受け台６はケース体７が外嵌状に載置される環状の嵌合突部６ａを有しており、またケース体７は自由状態で起立姿勢を安定的に保持されており、全体が透明状とされ内方の水分を長く保持すべく密閉性を有するものとされている。
【００２７】  この植栽付花器において、土壌４に植えられた植物５は、生きた状態を維持させる必要があることから、時折、ケース体７を一時的に取り外し、植物５に水をやったり肥料を与えることが行われる。ケース体７の通常使用時にはケース体７が植物５の外方を覆って内方の水分を保持するため、一度の水やりで、植物５は長く生き続けるものとなる。
【００２８】  次に図２に示す植栽付花器に切り花を生けた状態の植栽付切り花鑑賞品について説明する。
図３は該植栽付切り花鑑賞品を示す断面視説明図である。図３に示すように、花生け用有底筒体３には新鮮な切り花８が生けられている。この切り花８は時期によって異なる任意なものが使用される。土壌４の表面４ａに植えられた比較的低い植物５は切り花８の下部周囲を取り巻いた状態とされている。切り花８の上部は植えられた比較的低い植物５よりも高く配置されている。花生け用有底筒体３ｂ及び土除け案内筒２は鉢１、土壌４、比較的低い植物５、及び切り花８で覆われて外観部に現れ難い状態とされている。
【００２９】  この状態の植栽付切り花鑑賞品の鑑賞者は切り花８及び植えられた植物５の双方を同時に鑑賞することができる。このさい、鑑賞者は切り花８を見たときに同時に目に入る比較的低い植物５が土壌４に植えられていて生き生きとしていることから、四季折々の新鮮な切り花８も植物５と同様に土壌４に植えられているものとして違和感なく鑑賞できるようになり、また鉢１の上縁を花畑の外周囲に見立てることができるようになる。
【００３０】  この結果、鑑賞者は切り花８を恰も花畑に植えられた花を見るような感覚で鑑賞することができるのである。特に比較的低い植物５がコケであるときは、コケが一年中、生き生きとした緑を維持するため、このような鑑賞が時期を問わず可能となる。また鉢１が本例のように土味に富んだものであるとき土壌４、植物５及び切り花８などとの組合せ造形物の自然性が増し、切り花８はさらに違和感なく花畑に植えられた花として見立てられるようになる。切り花８は枯れやすいが、新鮮さが失われたときに交換することで、何時でも、このような鑑賞が可能となる。
【００３１】  図２に示した植栽付花器に切り花８を生けるさいは次の手順による。まずケース体７を取り外す。次に、植物５を痛めないように掻き分けるなどして鍔部３ｃの外周面ａ２を手指で把持し、花生け用有底筒体３を引き上げる。こうして花生け用有底筒体３を土除け案内筒２内から抜き出し、適宜場所に移動させ、その内方に水９を供給し切り花８を挿入する。次に切り花８や水９を保有する花生け用有底筒体３をその鍔部３ｃの外周面ａ２などを手指で把持することにより土除け案内筒２の上方へ移動させる。次に再び植物５を痛めないように掻き分けるなどして該花生け用有底筒体３を土除け案内筒２内に挿入する。そして、花生け用有底筒体３が元位置に戻されたときに手指を離してこれを自由状態とする。次に切り花８の位置や姿勢のほか植物５の枝葉の位置や姿勢を整える。最後に、ケース体７を元位置に戻して切り花８、植物５及び鉢１を密閉状に覆った状態とする。このような花生け処理は切り花８を交換するたびに繰り返されるものである。
【００３２】  また土壌４に植えられた植物５は生きた状態を維持させる必要があることから、図２に示した植栽付花器の場合と同様に、時折、ケース体７を一時的に取り外し、植物５に水をやったり肥料を与えることが行われる。
【００３３】  このように取り扱われる植栽付切り花鑑賞品においては、花生け用有底筒体３は土除け案内筒２内に挿入されて、最下部を空中に浮かせた状態とされているため、土壌４や泥水などで汚染されることがなく清浄に保持される。したがって、切り花８を生ける場合などに、土除け案内筒２内から抜き出された花生け用有底筒体３がこれの外表面に触れた他物を汚すことはなくなる。
【００３４】  また切り花８を生けられた花生け用有底筒体３が土除け案内筒２内で自由状態とされているときは、鍔部３ｃの下面が水９や切り花８の重量や花生け用有底筒体３の重量に抗して、土除け案内筒２の上端縁で水平状且つ安定的に支持された状態となる。また花生け用有底筒体３の筒部３ａの外周面が土除け案内筒２の内周面に密状に案内されて移動や姿勢変更を規制された状態となる。この結果、花生け用有底筒体３は土除け案内筒２内に殆ど固定的に位置保持され、これに生けられた切り花８の姿勢を安定的に保持するのである。
【００３５】  上記した植栽付花器や植栽付切り花鑑賞品では、受け台６やケース体７を備えたものとしたがこれを省略してもよいものであり、また植栽付切り花鑑賞品は屋内或いは屋外の何れに展示しても差し支えない。
【００３６】  図４は上記植栽付切り花鑑賞品の変形例を示す斜視図である。上記した図３に示す植栽付切り花鑑賞品では花生け用有底筒体３ｂ及び土除け案内筒２の組を１つのみ備えたものとしたが、これに限定するものではなく、図４に示すように、これらの組を複数備えたものとすることも差し支えない。図４中では該組の数は３つとされており、それぞれの組の花生け用有底筒体３内に切り花８が生けられている。
【符号の説明】
【００３７】１  鉢
２  土除け案内筒
３  花生け用有底筒体
３ｃ  横張出部（鍔部）
４  土壌
４ａ  土壌４の表面
５  植物
９  水
８  切り花
Ｌ１  土除け案内筒２の長さ
ａ１  被挿入部
ａ２  外周面
【図１】
0003150440.tif 000003
【図２】
0003150440.tif 000004
【図３】
0003150440.tif 000005
【図４】
0003150440.tif 000006